(57)【要約】【課題】汎用性が高く、容易に締緩することができるボルトの締緩方法及びボルトを提供すること。【解決手段】ボルト１０は、雄ねじ部１３が形成された軸部１２と、軸部１２の一端に設けられ、該軸部１２の中心軸Ｃと直交する方向に棒部材１５を挿入する棒挿入穴１４を有する頭部１１と、を備える。棒挿入穴１４は、頭部１１の一組の側面１１ａ，１１ａを貫通するように設けられている。ボルト１０は、棒挿入穴１４に挿通された棒部材１５を中心軸Ｃの回りに回動することにより緩められ、又は締められる。【選択図】図４
2011001967.tif 000002
【特許請求の範囲】
【請求項１】
雄ねじ部が形成された軸部と該軸部の一端に設けられる頭部とを有するボルトを締め又は緩めるボルトの締緩方法であって、
前記頭部に前記軸部の中心軸と直交する方向に穴部を設ける穴部加工工程と、
前記穴部に棒部材を挿入する挿入工程と、
前記棒部材を前記中心軸の回りに回動する回動工程と、
を含むことを特徴とするボルトの締緩方法。
【請求項２】
雄ねじ部が形成された軸部と、
前記軸部の一端に設けられる頭部と、
前記頭部に設けられ、前記軸部の中心軸と直交する方向に棒部材を挿入する穴部と、
を備えることを特徴とするボルト。
【請求項３】
請求項２に記載の前記ボルトを用いるボルトの締緩方法であって、
前記穴部に前記棒部材を挿入する挿入工程と、
前記棒部材を前記軸部の中心軸の回りに回動する回動工程と、
を含むことを特徴とするボルトの締緩方法。
【発明の詳細な説明】
【技術分野】
【０００１】
本発明は、ボルトの締緩方法及びこれに用いられるボルトに関する。
【背景技術】
【０００２】
従来より、発電所の発電機器や送電鉄塔等には、構成部材の締結に大型のボルトが使用されている。このようなボルトは、軸径が例えば３０ｍｍ以上を有するものもあり、締緩するには大きな回転トルクを必要とする。そのため、締緩作業には、大型のスパナやレンチ等が用いられる。
【０００３】
また、ボルトを緩める従来技術として、次のような手段が提供されている（例えば、特許文献１参照）。この従来技術は、ボルト頭部と被締結物との間にワッシャを介設し、該ボルト頭部を該ワッシャ側に押圧して該ワッシャを塑性変形させることで、小さなトルクでボルトを緩める、というものである。
【先行技術文献】
【特許文献】
【０００４】
【特許文献１】特開平８−２１０３４２号公報
【発明の概要】
【発明が解決しようとする課題】
【０００５】
しかし、既設のボルトを上記大型のスパナやレンチ等を用いて緩めるときに、ボルト頭部や雄ねじ部等が腐食している場合がある。このような場合には、ボルト頭部の角部（六角部）が丸くなってしまったり、雄ねじ部等が被締結物に固着していることが多い。そのため、ボルトに回転トルクを十分に付与できず、緩めるのが困難であった。
【０００６】
また、上記特許文献１の従来技術によれば、上記塑性変形可能な所定のワッシャと、このワッシャを押圧するための特殊な押圧工具（例えば、油圧工具）が必要であるため、汎用性に欠けるという問題点があった。
【０００７】
また、上記特許文献１の従来技術によれば、ボルト締結時に上記ワッシャを使用する必要があるため、該ワッシャが使用されていない既設のボルトには対応できず、汎用性に欠けるという問題点があった。
【０００８】
本発明は、上記に鑑みてなされたものであって、汎用性が高く、容易に締緩することができるボルトの締緩方法を提供することを目的とする。
【０００９】
また、本発明は、汎用性が高く、容易に締緩することができるボルトを提供することを目的とする。
【課題を解決するための手段】
【００１０】
（１）  本発明は、雄ねじ部が形成された軸部と該軸部の一端に設けられる頭部とを有するボルトを締め又は緩めるボルトの締緩方法であって、前記頭部に前記軸部の中心軸と直交する方向に穴部を設ける穴部加工工程と、前記穴部に棒部材を挿入する挿入工程と、
前記棒部材を前記中心軸の回りに回動する回動工程と、を含むことを特徴とする。
【００１１】
（２）  （１）に記載の発明においては、前記穴部加工工程は、前記頭部に貫通穴を設けることが好ましい。
【００１２】
（３）  本発明は、（１）又は（２）に記載の発明に用いられるボルトであって、雄ねじ部が形成された軸部と、前記軸部の一端に設けられ、該軸部の中心軸と直交する方向に棒部材を挿入する穴部を有する頭部と、を備えることを特徴とする。
【発明の効果】
【００１３】
本発明によれば、汎用性が高く、容易に締緩することができるボルトの締緩方法を提供することができる。
【００１４】
また、本発明によれば、汎用性が高く、容易に締緩することができるボルトを提供することができる。
【図面の簡単な説明】
【００１５】
【図１】本発明の実施形態に係るボルト１０を示す斜視図である。
【図２】本発明の実施形態に係るボルト１０を示す側面図である。
【図３】本発明の実施形態に係るボルト１０を示す平面図である。
【図４】本発明の実施形態に係る回動工程を示す斜視図である。
【発明を実施するための形態】
【００１６】
以下に、本発明の実施形態について図面を参照しながら説明する。
図１は、本発明の実施形態に係るボルト１０を示す斜視図であり、ボルト１０が被締結物１に螺合された状態を示している。図２は、本発明の実施形態に係るボルト１０を示す側面図であり、棒挿入穴１４を部分断面で示している。図３は、本発明の実施形態に係るボルト１０を示す平面図であり、棒挿入穴１４を部分断面で示している。
【００１７】
先ず、本発明の実施形態に係るボルト１０が締結される被締結物１について図１を参照しながら説明する。被締結物１は、ねじ穴２が設けられている。ねじ穴２の内周面には、後述するボルト１０の雄ねじ部１３が螺合可能な雌ねじ部３が形成されている。
【００１８】
次に、本発明の実施形態に係るボルト１０について図１から図３を参照しながら説明する。ボルト１０は、鉄等の金属から構成され、雄ねじ部１３が形成された軸部１２と、軸部１２の一端に設けられる頭部１１と、を備える。
【００１９】
頭部１１は、所定の厚みを有し、平面視正六角形状に形成されている。したがって、頭部１１は、互いに平行な３組の側面１１ａ，１１ａを有する（図３参照）。
【００２０】
軸部１２は、頭部１１の下面から延び、円柱状に形成された軸部材である。軸部１２の外周面には、雄ねじ部１３が設けられている。この雄ねじ部１３は、例えば、右ねじとして形成されている。
【００２１】
また、上記頭部１１は、後述する棒部材１５を挿入可能な穴部としての棒挿入穴１４を有する。棒挿入穴１４は、図１から図３に示すように、頭部１１の一組の側面１１ａ，１１ａを貫通する貫通穴である。
【００２２】
すなわち、棒挿入穴１４は、図２に示すように、頭部１１において、軸部１２の中心軸Ｃを通り、かつ、該中心軸Ｃと直交する方向に貫通している。棒挿入穴１４の内径は、後述する棒部材１５の外径よりも若干大きくなっている。
【００２３】
棒部材１５は、図１及び図４に示すように、金属丸棒である。棒部材１５は、ボルト１０に対して軸部１２の中心軸Ｃ（図２参照）の回り（図４に示す矢印Ｆ方向）に所定の回転トルクを付与するためのものである。棒部材１５は、該回転作業に十分な長さを有し、該回転トルクを付与されても曲がらないように太く形成されている。
【００２４】
このように構成されたボルト１０は、発電所の発電機器や送電鉄塔等に用いられ、強大な回転トルクを付与されて締緩される。そのため、ボルト１０は、非常に大きな径を有していることが好ましく、軸部１２の直径が、例えば３０ｍｍ以上であることが好ましい。
【００２５】
また、ボルト１０は、軸部１２の直径が、例えば５０ｍｍ以上であることが好ましい。
【００２６】
更に、ボルト１０は、軸部１２の直径が、例えば７０ｍｍ以上であることが好ましい。
【００２７】
また、棒部材１５は、直径が、例えば５ｍｍ以上であることが好まししい。
【００２８】
次に、本発明の実施形態に係るボルト１０の締緩方法について、図４を参照しながら説明する。図４は、本発明の実施形態に係る回動工程を示す斜視図であり、ボルト１０を棒部材１５で回転している様子を示している。
【００２９】
ボルト１０の締緩方法は、穴部加工工程と、挿入工程と、回動工程と、を含んで構成される。ボルト１０を締結する場合と緩める場合とは、ボルト１０の回転方向が異なるのみであるので、以下には、ボルト１０を緩める場合について説明する。図１には、ボルト１０が被締結物１に締結されている状態を示している。
【００３０】
先ず、穴部加工工程について説明する。
詳細な図示例は省略するが、穴部加工工程は、ボルト１０の頭部１１に棒挿入穴１４（図１から図３参照）を開ける工程である。この工程は、棒挿入穴１４を備えていないボルトに対して実施される工程であるので、棒挿入穴１４を備えているボルト１０に対しては、実施を省略される。
【００３１】
棒挿入穴１４は、図２に示すように、頭部１１の一組の側面１１ａ，１１ａを貫通するように、図示しないドリルによって開けられる。
棒挿入穴１４は、腐食の有無等、頭部１１の性状に関係なく、容易に開けることができる。また、棒挿入穴１４は、既設のボルトであるか否かを問わず、容易に開けることができる。したがって、種々のボルトに本発明を適用することができ、汎用性が高い。
【００３２】
次に、挿入工程について図２を参照しながら説明する。
挿入工程は、上記穴部加工工程で設けられた棒挿入穴１４に、棒部材１５を挿入する工程である。棒部材１５は、先端部を、頭部１１の一方の側面１１ａから挿入され、他方の側面１１ａに露出するように、棒挿入穴１４に挿通される。
【００３３】
この場合、棒部材１５は、頭部１１の一組の側面１１ａ，１１ａ間に挿通されているので、該頭部１１に対して所定の回転トルクを付与するための当接面積を、容易に確保することができる。
【００３４】
次に、回動工程について図４を参照しながら説明する。回動工程は、上記挿入工程で棒挿入穴１４に挿通された棒部材１５を、ボルト１０の中心軸Ｃ（図２参照）の回りに回動する工程である。
上述したように、ボルト１０は、右ねじであるので、図４に示すように、棒部材１５を矢印Ｆ方向（平面視で左回り）に所定のトルクを付与して回動すれば、ボルト１０を容易に緩めることができる。
なお、ボルト１０を締める場合には、上記と逆方向（平面視で右回り）に棒部材１５を回動すればよく、容易に締めることができる。
【００３５】
この棒部材１５を用いるボルト１０の締緩方法は、ボルト１０を回転させるのに強大なトルクが必要な場合に有効である。すなわち、ボルト１０（図１参照）が、上述のように大型（軸部１２が大径）の場合に、特に有効である。
【００３６】
以上のように、この実施形態に係るボルト１０によれば、以下に示す各効果が奏される。
この実施形態に係るボルト１０においては、軸部１２と、軸部１２の中心軸Ｃと直交する方向に棒部材１５を挿入する棒挿入穴１４を有する頭部１１と、を備える。そのため、必要に応じて、棒部材１５を使用することにより、強大な回転トルクをボルト１０に付与することができ、ボルト１０を容易に締緩することができる。
【００３７】
また、この実施形態に係るボルト１０においては、従来のような特殊な工具を必要としないため、汎用性が高い。したがって、ボルト１０が大型の場合にも、特殊な工具を必要とせず、棒部材１５を使用することにより、容易に締緩することができる。
【００３８】
なお、上記実施形態においては、棒挿入穴１４は、頭部１１を貫通するように設けられているものとして説明したが、これに限定されない。
例えば、棒挿入穴１４は、挿入される棒部材１５を保持できれば、必ずしも頭部１１を貫通していなくてもよい。この場合も上記と同様の効果を奏することができる。
【００３９】
以上、本発明の一実施形態について説明したが、本発明は、前述した実施形態に制限されるものではなく、適宜変更が可能である。
例えば、上記実施形態においては、被締結物１として、大型の発電機器や送電鉄塔等を例にして説明したが、これに限定されない。
【００４０】
また、上記実施形態においては、頭部１１は、平面視正六角形状に形成されているものとして説明したが、これに限定されない。
例えば、頭部１１は、正六角形状以外の多角形状であってもよい。この場合も上記と同様の効果を奏することができる。
【００４１】
また、上記実施形態においては、ボルト１０が右ねじであるものとして説明したが、これに限定されず、ボルト１０が左ねじであってもよい。
この場合、上記回動工程（ボルト１０を緩める場合）において頭部１１に回転トルクを付与するときには、平面視で右向きの回転トルクを付与することが好ましい。この場合も上記と同様の効果を奏することができる。
【符号の説明】
【００４２】
Ｃ  中心軸
３  雌ねじ部
１０  ボルト
１１  頭部
１２  軸部
１３  雄ねじ部
１４  棒挿入穴（穴部）
１５  棒部材
【図１】
2011001967.tif 000003
【図２】
2011001967.tif 000004
【図３】
2011001967.tif 000005
【図４】
2011001967.tif 000006